(57)【要約】【課題】魚に対する餌のアピール度を高めた釣針を提供する。【解決手段】二つの線材部分２１、２３により軸部２５を形成し、該軸部の基端２５ａには釣糸２６に対する連結部２７を備えさせ、該軸部における各線材部分の先端２１ｂ、２３ｂにはそれぞれフック状針部２９、３１を備えさせてなる釣針において、前記軸部２５を形成する二つの線材部分２１、２３は、前記基端２５ａより拡開させると共に前記先端２１ｂ、２３ｂに向かって線材部分２１、２３間の間隔が徐々に大きくなるようになすことにより、各フック状針部に餌を保持させることができるのみならず、各フック状針部から刺した餌を該軸部２５を形成する各線材部分２１、２３まで移すことができ、かつ、当該各線材部分２１、２３に移された各餌が当該各線材部分２１、２３において相互に接触しないようにしたことを特徴とする釣針。【選択図】図１
2013150564.tif 000002
【特許請求の範囲】
【請求項１】
二つの線材部分により軸部を形成し、該軸部の基端には釣糸に対する連結部を備えさせ、該軸部における各線材部分の先端にはそれぞれフック状針部を備えさせてなる釣針において、
前記軸部を形成する二つの線材部分は、前記基端より拡開させると共に前記先端に向かって線材部分間の間隔が徐々に大きくなるようになすことにより、各フック状針部に餌を保持させることができるのみならず、各フック状針部から刺した餌を該軸部を形成する各線材部分まで移すことができ、かつ、当該各線材部分に移された各餌が当該各線材部分において相互に接触しないようにしたことを特徴とする釣針。
【発明の詳細な説明】
【技術分野】
【０００１】
本発明は、魚を釣るための釣針に関するものである。
【背景技術】
【０００２】
釣針としては、例えば図７に示すように、２本の線材１、３により軸部５を形成し、該軸部５の基端５ａには釣糸に対する連結部７を備えさせ、該軸部５における各線材１、３の先端にはそれぞれフック状針部９、１１を備えさせてなるもの（以下「従来の釣針」という。）が既に知られている。このような釣針は、例えば実用新案登録第３０５７１１４号公報にも開示されている。
【先行技術文献】
【特許文献】
【０００３】
【特許文献１】実用新案登録第３０５７１１４号公報
【発明の概要】
【発明が解決しようとする課題】
【０００４】
上記従来の釣針における軸部５は、２本の線材１、３の側部を相互に一体的に密着させてなるものであり、当該２本の線材１、３は該軸部５の先端より相互に離れる方向に湾曲することによりそれぞれフック状針部９、１１を形成している。
【０００５】
したがって、上記従来の釣針においては、オキアミ等の餌を一方のフック状針部９（１１）から刺して該軸部５まで移すことができない。換言すれば、上記従来の釣針においては、オキアミ等の餌は左右一対のフック状針部９、１１にのみ取り付けることができるに過ぎない。因みに、図７に示す事例においては、各フック状針部９、１１にそれぞれ１匹ずつ餌１３、１５を取り付けている。
【０００６】
すなわち、上記従来の釣針においては、餌の取付可能数が少なく、魚に対する餌のアピール度が低いという問題があるだけでなく、釣針における餌内に侵入する長さが短く、餌を確実に保持することができないため、釣針に取り付けた餌が外れ易いという問題もある。
【０００７】
本発明は、上記従来の釣針における上述の如き問題を解決し、二つの線材部分により軸部を形成し、該軸部の基端には釣糸に対する連結部を備えさせ、該軸部における各線材部分の先端にはそれぞれフック状針部を備えさせてなる釣針において、各フック状針部のみならず、該軸部を形成する各線材部分にも各別に餌を取り付けることができるようになし、以て餌の取付可能数を増加させて魚に対する餌のアピール度を高めると共に、餌を外れ難く確実に保持することができるようにした釣針を提供しようとしてなされたものである。
【課題を解決するための手段】
【０００８】
上記課題を解決するために、本発明は、下記の釣針を提供するものである。
【０００９】
二つの線材部分により軸部を形成し、該軸部の基端には釣糸に対する連結部を備えさせ、該軸部における各線材部分の先端にはそれぞれフック状針部を備えさせてなる釣針において、
前記軸部を形成する二つの線材部分は、前記基端より拡開させると共に前記先端に向かって線材部分間の間隔が徐々に大きくなるようになすことにより、各フック状針部に餌を保持させることができるのみならず、各フック状針部から刺した餌を該軸部を形成する各線材部分まで移すことができ、かつ、当該各線材部分に移された各餌が当該各線材部分において相互に接触しないようにしたことを特徴とする釣針（請求項１）。
【発明の効果】
【００１０】
本発明によれば、各フック状針部に餌を保持させることができるのみならず、各フック状針部から刺した餌を該軸部を形成する各線材部分まで移すことができ、かつ、当該各線材部分に移された各餌が当該各線材部分において相互に接触しないようにしたため、各フック状針部と該軸部を形成する各線材部分とにそれぞれ餌を容易に取り付けることができる。したがって、より多数の餌を相互に接触しない状態で取り付けることができるため、餌が目立ち、魚に対する餌のアピール度が著しく向上する。また、フック状針部から刺した餌を該軸部を形成する線材部分まで移すことにより、釣針を餌内の長さ方向に侵入させることができるため（図７の符号４５、４７に示す餌を参照。）、釣針における餌内に侵入する長さが長くなり、餌を確実に保持することができる。換言すれば、餌が釣針から脱落し難くなる。
【図面の簡単な説明】
【００１１】
【図１】図１は、本発明による釣針の一例を示す斜視図である。
【図２】図２は、同上釣針の正面図である。
【図３】図３は、同上釣針の別の斜視図である。
【図４】図４は、同上釣針の平面図である。
【図５】図５は、同上釣針の側面図である。
【図６】図６は、同上釣針に餌を保持させた状態の一例を示す正面図である。
【図７】図７は、従来の釣針に餌を保持させた状態を示す斜視図である。
【発明を実施するための形態】
【００１２】
まず、本発明による釣針が上記従来の釣針と共通する点について説明する。
【００１３】
すなわち、本発明による釣針は、二つの線材部分２１、２３により軸部２５を形成し、該軸部２５の基端２５ａには釣糸２６に対する連結部２７を備えさせ、該軸部２５における各線材部分２１、２３の先端２１ｂ、２３ｂにはそれぞれフック状針部２９、３１を備えさせてなる点において、上記従来の釣針と共通する。
【００１４】
図示の事例における釣針は、二つの線材部分２１、２３を含む１本の線材２０を折曲すること等により形成している。釣糸２６に対する連結部２７は、一例として、該線材２０を略環状に折曲してなるものである。
【００１５】
各フック状針部２９、３１は、剣先２９ａ、３１ａと、モドリ２９ｂ、３１ｂとを備えている。
【００１６】
しかして、本発明においては、前記軸部２５を形成する二つの線材部分２１、２３は、前記基端２５ａより拡開させると共に前記先端２１ｂ、２３ｂに向かって線材部分２１、２３間の間隔が徐々に大きくなるようになすことにより、各フック状針部２９、３１に餌４１、４３を保持させることができるのみならず、各フック状針部２９、３１から刺した餌４５、４７を該軸部２５を形成する各線材部分２１、２３まで移すことができ、かつ、当該各線材部分２１、２３に移された各餌４５、４７が当該各線材部分２１、２３において相互に接触しないようになす。
【００１７】
前記軸部２５を形成する二つの線材部分２１、２３を前記基端２５ａより拡開させる角度Ａは、一例として８０度とする。軸部２５を形成する二つの線材部分２１、２３間の間隔Ｂは、前記基端２５ａと前記先端２１ｂ、２３ｂとの略中央部分において、一例として４ｍｍとする。二つの線材部分２１、２３は、一例として６度の角度Ｃで当該各線材が相互に離れる方向に開くことにより、線材部分２１、２３間の間隔が前記先端２１ｂ、２３ｂに向かって徐々に大きくなるものとする。図２参照。
【００１８】
なお、図４に示すように、前記軸部２５を形成する二つの線材部分２１、２３は、基端２５ａ側より前記先端２１ｂ、２３ｂに向かって、平面視３０〜４５度の角度Ｄで徐々に開くように形成するのが望ましい。
【００１９】
餌としては、一例としてオキアミを使用する。餌としてオキアミを使用する場合には、オキアミの尾部を切除した状態でオキアミを各フック状針部２９、３１に頭部を下にした状態で取り付けることが好ましい。
【符号の説明】
【００２０】
１  線材
３  線材
５  軸部
５ａ  基端
７  連結部
９  フック状針部
１１  フック状針部
１３  餌
１５  餌
２０  線材
２１  線材部分
２１ｂ  先端
２３  線材部分
２３ｂ  先端
２５  軸部
２５ａ  基端
２６  釣糸
２７  連結部
２９  フック状針部
２９ａ  剣先
２９ｂ  モドリ
３１  フック状針部
３１ａ  剣先
３１ｂ  モドリ
４１  餌
４３  餌
４５  餌
４７  餌
【図１】
2013150564.tif 000003
【図２】
2013150564.tif 000004
【図３】
2013150564.tif 000005
【図４】
2013150564.tif 000006
【図５】
2013150564.tif 000007
【図６】
2013150564.tif 000008
【図７】
2013150564.tif 000009